(57)【要約】      （修正有）【課題】支持構造体の高い支持強度を得ることができ、簡便な配線作業をも可能とする天板付家具を提供する。【解決手段】天板１を支持する支持構造体２を、天板１の側端部を支持する複数の端部脚２１…と、これら端部脚２１…の内側に配置される中間脚２３と、天板１の奥行き方向に隣接する端部脚２１、２１間に配置した側フレームと、中間脚２３の上端部に支持されるアーム２４と、側フレームとアーム２４とを連結する横フレーム２５、２５とを具備するものとして、中間脚２３に、形成した開口部２３ｓを、中間脚２３を挟む位置に配置した複数の配線ダクト３、３の配線空間に連通させるように構成した。【選択図】図１
2005052395.tif 000002
【特許請求の範囲】
【請求項１】
天板と、該天板を支持する支持構造体と、天板の下方空間に配線コードを収納し得る配線ダクトとを具備してなるものであって、
前記脚構造体が、天板の側端部を支持する複数の端部脚と、これら端部脚の内側に配置される中間脚と、天板の奥行き方向に隣接する端部脚間に配置されて天板を支持する側フレームと、中間脚の上端部に支持されて天板を支持するアームと、側フレームとアームとを連結する横フレームとを具備するとともに、該中間脚を挟む位置に前記配線ダクトを複数配置し、前記中間脚に、その両側に配置された配線ダクトに形成された配線空間と連通する開口部を形成していることを特徴とする天板付家具。
【請求項２】
前記配線空間の底部を構成する配線ダクトの底板部と、前記中間脚に形成される開口部の開口下縁部とを、略同一高さ位置に設定している請求項１記載の天板付家具。
【請求項３】
前記中間脚が、所定距離離間させて配置される一対の脚支柱と、これら脚支柱同士を連結する連結部材とを具備し、隣接する脚支柱の内側端と連結部材の上端とによって包囲される部位を前記開口部としている請求項１又は２記載の天板付家具。
【請求項４】
前記連結部材に、天板の側端部側へ開口して上下に延びる凹部を形成し、該凹部を、中間脚の下端部から前記開口部に連通する配線案内路としている請求項３記載の天板付家具。
【請求項５】
前記中間脚に、下端部から前記開口部に連通する配線案内路を形成している請求項１、２又は３記載の天板付家具。
【請求項６】
前記中間脚が、配線案内路を開閉可能に閉止するカバー体を具備している請求項４又は５記載の天板付家具。
【請求項７】
前記中間脚を、天板の奥行き方向中央部に配置し、該中間脚の両側方に前記配線ダクトを天板の幅方向に沿って配置している請求項１、２、３、４、５又は６記載の天板付家具。
【請求項８】
前記天板が奥行き方向両端部に使用端を有するものであり、該天板の奥行き方向中央部に、該天板の幅方向に沿って延びる隙間を形成し、該隙間を、少なくとも中間脚の開口部に連通させている請求項１、２、３、４、５、６又は７記載の天板付家具。
【請求項９】
前記天板が、奥行き方向に隣接して対をなす天板要素を具備するとともにこれら天板要素の使用端を天板の使用端とするものであって、前記天板要素の反使用端同士の間に前記隙間を形成している請求項８記載の天板付家具。
【請求項１０】
前記中間脚を天板の奥行き方向中央部に配置し、天板の使用端側を向く中間脚の前端面を天板の両使用端よりも内側に設定している請求項８又は９記載の天板付家具。
【発明の詳細な説明】
【技術分野】
【０００１】
本発明は、好適な配線作業を行うことができる天板付家具に関するものである。
【背景技術】
【０００２】
複数の天板付家具を増連することで１つの大型テーブル等の天板付家具を構成するようにしたものが従来より知られている。このようなものにおいては、１台の天板付家具における天板を支持する基本フレームとして枠体を形成し、隣接する枠体同士を連結することで複数の天板付家具を増連して大型テーブルを形成するという構成が採用されている（例えば、特許文献１参照）。しかしながら、斯かる構成の天板付家具であると、強度を出すために枠構造利用しているので、部品点数が多く、製造コストや搬送コストが嵩み、組み立て工程も煩雑であるという不具合がある。また、枠体を構成する側フレームに開口を形成すれば、隣接する天板付家具間に亘る横配線は可能であるが、枠フレームに取り付けられる幕板内に前記開口が隠蔽されるので、メンテナンスが厄介であるという問題もある。
【０００３】
このような不具合を改善するものとして、テーブルタイプのフリーアドレスデスクが考えられつつある。このようなデスクでは、天板の側端部を支持する側端部支持体と、天板の中央部を支持する中間支持体と、これら両支持体間に掛け渡される複数の横桟とによって、天板の支持構造体が構成される（例えば、非特許文献１参照）。斯かる構成のデスクは、中間支持体を介して隣接する横桟同士を長手方向に連結することで、隣接するデスク同士を増連できるように構成されている。
【特許文献１】実公平７−１１６２９号公報（図３等）
【非特許文献１】「２００３オカムラ総合カタログ」、株式会社岡村製作所、平成１５年１月、ｐ７３
【発明の開示】
【発明が解決しようとする課題】
【０００４】
ところが、このような構成のものであると、支持構造体の剛性を出すためには横桟を比較的太いものにする必要があり、また横桟と両支持体の連結を特に強固にする必要がある。このため、隣接するデスク間に亘る配線は中間支持体を避けて行わなければならないことになり、配線作業やメンテナンスが極めて煩雑となっている。すなわち、中間支持体が連結強度を優先した構造となっているため、配線の取り回しのための機能が損なわれているといえる。
【０００５】
そこで本発明は、以上のような問題に鑑みて、離間する配線ダクト間への配線コードの引き回しを容易に行うことができる中間脚を備えた天板付家具を提供しようとするものである。
【課題を解決するための手段】
【０００６】
すなわち、本発明の天板付家具は、天板と、この天板を支持する支持構造体と、天板の下方空間に配線コードを収納し得る配線ダクトとを具備してなるものであって、脚構造体が、天板の側端部を支持する複数の端部脚と、これら端部脚の内側に配置される中間脚と、天板の奥行き方向に隣接する端部脚間に配置されて天板を支持する側フレームと、中間脚の上端部に支持されて天板を支持するアームと、側フレームとアームとを連結する横フレームとを具備するとともに、中間脚を挟む位置に前記配線ダクトを複数配置し、前記中間脚に、その両側に配置された配線ダクトに形成された配線空間と連通する開口部を形成したことを特徴としている。
【０００７】
このような構成の天板付家具であると、側フレーム、アーム及び横フレームの連結構造により支持構造体の高い剛性を実現するとともに、中間脚に形成された開口部を通じてこの中間脚を挟む配線ダクト間に配線コードを容易に通過させることができるため、従来のように中間脚を迂回した配線コードの引き回しが必要であって不具合を解消し、横配線の作業やメンテナンスを簡便に行うことができるようになる。
【０００８】
さらに配線作業の簡易化を図るためには、配線空間の底部を構成する配線ダクトの底板部と、中間脚に形成される開口部の開口下縁部とを、略同一高さ位置に設定することが望ましい。
【０００９】
また、中間脚に開口部を容易に形成するためには、中間脚を、所定距離離間させて配置される一対の脚支柱と、これら脚支柱同士を連結する連結部材とを具備するものとし、隣接する脚支柱の内側端と連結部材の上端とによって包囲される部位を前記開口部とすればよい。
【００１０】
さらにまた、床から立ち上げた配線を中間脚の開口部を経て配線ダクトへ好適に案内するためには、連結部材に、天板の側端部側へ開口して上下に延びる凹部を形成し、この凹部を、中間脚の下端部から開口部に連通する配線案内路とすることが好ましい。
【００１１】
また、中間脚に、下端部から開口部に連通する配線案内路を形成した場合、配線案内路内の配線コードを隠しておくには、中間脚に、配線案内路を開閉可能に閉止するカバー体を設けるとよい。
【００１２】
天板付家具の安定性と、配線ダクトの好適な使用状態を実現するためには、中間脚を天板の奥行き方向中央部に配置し、その中間脚の両側方に配線ダクトを天板の幅方向に沿って配置することが好ましい。
【００１３】
特に天板が奥行き方向両端部に使用端を有するものである場合、両方の使用端側の執務者が等しく配線ダクトを利用できるようにするには、その天板の奥行き方向中央部幅方向に沿って延びる隙間を形成し、この隙間を、少なくとも中間脚の開口部に連通させることが望ましい。このような態様を簡易に実現できる構成としては、天板が、奥行き方向に隣接して対をなす天板要素を具備するとともにこれら天板要素の使用端を天板の使用端とするものであって、天板要素の反使用端同士の間に隙間を形成したものが挙げられる。
【００１４】
また、中間脚の存在によっても使用端側に着座する執務者の脚に対する障害を極力なくすようにするためには、中間脚を天板の奥行き方向中央部に配置し、天板の使用端側を向く中間脚の前端面を天板の両使用端よりも内側に設定するとよい。
【発明の効果】
【００１５】
本発明によれば、中間脚を挟むように複数の配線ダクトを配置しても、中間脚に形成した開口部を通じて配線ダクト間に配線コードを亘すことができるので、迂遠な配線作業や狭いスペースへの配線コードの引き回しが不要となるため、非常に簡便な配線作業、特に中間脚を通過してその両側方に亘る配線ダクトへの簡便な横配線を実現することが可能である。さらに、側フレーム、アーム及び横フレームを利用した連結構造を採用することで、支持構造体の高い剛性を実現することも可能である。
【発明を実施するための最良の形態】
【００１６】
以下、本発明の一実施形態を、図面を参照して説明する。
【００１７】
図１及び図２に示す天板付家具は、自席が限定されない所謂フリーアドレス型のオフィスにおいて用いられる大型のテーブルＴである。このテーブルＴは、天板１と、この天板１を支持する支持構造体２と、天板１の下方空間に配置される配線ダクト３とを主体としてなるものである。
【００１８】
本実施形態において天板１は、複数の天板要素１１から構成してある。具体的には、平面視矩形状をなす天板要素１１を４つ用い、そのうち２枚ずつの天板要素１１、１１を一組としてそれらの反使用端１１ｂ同士を対向させて配置し、その天板要素１１、１１の組をそれらの内側端１１ｃ同士を隣接させて配置することで、天板１全体の奥行き方向中央部に各天板要素１１の反使用端を集合させ、且つ奥行き方向両端部に各天板要素１１の使用端１１ａを位置付けている。なお、前後に対をなす天板要素１１、１１の反使用端１１ｂ、１１ｂ同士の間には所定距離の隙間１ｓが形成してある。なお、この隙間１ｓは、配線ダクト３の配線空間３ｓに連通させるようにしている。
【００１９】
また、支持構造体２は、各天板要素１１の使用端１１ａ側における外側端１１ｄ近傍に配置される合計４本の端部脚２１と、天板１の奥行き方向に対をなす端部脚２１、２１同士を連結する側フレーム２２、２２と、各天板要素１１の反使用端１１ｂ側における内側端１１ｃ側に配置される１つの中間脚２３と、この中間脚２３に支持されて各天板要素１１の内側端１１ｃ側を支持する前後一対のアーム２４、２４と、側フレーム２２、２２とアーム２４、２４との間を天板１の幅方向に沿って連結する合計８本の横フレーム（各４本の第１横フレーム２５、２５、２５、２５及び第２横フレーム２６、２６、２６、２６）とを主体として構成される。ここで、第１横フレーム２５、２５、２５、２５は、各天板要素１１の反使用端１１ｂ側を支持するものであり、第２横フレーム２６、２６、２６、２６は、各天板要素１１の奥行き方向中央部を支持するものである。なお、左右の側フレーム２２、２２には、側方からの視線から天板１の下方空間を遮る側幕板２７、２７を取り付けている。
【００２０】
ここで、中間脚２３及びその周辺部位の構成について詳述する。まず中間脚２３は、図３、図４及び図５に示すように、天板１の奥行き方向に所定距離離間させて並列する一対の脚支柱２３１、２３１を主体として構成されるものである。各脚支柱２３１は、相互に対向する側に開口し床上に起立するチャネル状をなす部材である。本実施形態では、各脚支柱２３１を、金属板の折り曲げ加工又は金属素材の押し出し成形などにより、前壁２３１ａと、前壁２３１ａの両側端部に連続する左右一対の側壁２３１ｂ、２３１ｂと、これら側壁２３１ｂ、２３１ｂに連続する左右一対の後壁２３１ｃ、２３１ｃとを一体に有するものであり、後壁２３１ｃ、２３１ｃ同士の内側端間を離間させている。なお、各脚支柱２３１の上端部においては、天板要素１１の反使用端１１ｂに対応する側壁２３１ｂ、２３１ｂの後端部を部分的に矩形状に切り欠いて、その部位には後壁２３１ｃ、２３１ｃを設けない構成としている。このような脚支柱２３１、２３１は、後壁２３１ｃ、２３１ｃを設けた部位において、左右一対の連結部材２３２によって結合されている。各連結部材２３２は、脚支柱２３１、２３１の側壁２３１ｂ、２３１ｂの内面に当接する外壁２３２ａ、２３２ａと、後壁２３１ｃ、２３１ｃの内面に当接する対向壁２３２ｂ、２３２ｂと、これら対向壁２３２ｂ、２３２ｂ間を繋ぎ後壁２３１ｃ、２３１ｃの先端部に当接する内壁２３２ｃとを、一枚の金属板を屈曲させて形成したものである。そして、側壁２３１ｂ、２３１ｂと外壁２３２ａ、２３２ａ、後壁２３１ｃ、２３１ｃと対向壁２３２ｂ、２３２ｂは、溶接等により固定することにより、連結部材２３２、２３２によって脚支柱２３１、２３１同士を連結している。しかして本実施形態においては、このような連結部材２３２の上端と、対向する脚支柱２３１、２３１の内側端同士に包囲された側面視矩形状の空間を、左右すなわち天板１の幅方向に開口する開口部２３ｓとしている。
【００２１】
また、この中間脚２３においては左右両側に、連結部材２３２の対向壁２３２ｂ、２３２ｂ及び内壁２３２ｃとによって、上下にチャネル状をなして延びて外側方へ開口し且つ開口部２３ｓに連通する凹部２３ｕ、２３ｕが形成されるので、本実施形態ではこれら凹部２３ｕ、２３ｕを床から立ち上げ又は引き下ろした配線コード（図示省略）をガイドする配線案内路２３ｒ、２３ｒとして利用するようにしている。そしてこれら凹部２３ｕ、２３ｕには、平面視コ字形をなすチャネル状のカバー体２３３、２３３を着脱可能に嵌め込むことによって、配線案内路２３ｒ、２３ｒ内の配線コードを隠蔽できるようにしている。
【００２２】
さらに、開口部２３ｓ内において、中間脚２３の内部構造を隠蔽しておくために、脚支柱２３１、２３１に閉止部材２３４を取り付けている。この閉止部材２３４は、上述した配線案内路２３ｒ、２３ｒを避けるように開口部２３ｓに面する脚支柱２３１、２３１の後壁２３１ｃ…及び対向壁２３１ｂ…に載置される平面視工字形をなす水平壁２３４ａと、開口部３ａを内側方から塞ぐように水平壁２３４ａの前後両端部から起立する鉛直壁２３４ｂ、２３４ｂと、各鉛直壁２３４ｂの左右両側端部に連続して対応する脚支柱２３１の対向壁２３２ｂ、２３２ｂの内面に溶接などにより固定される当接壁２３４ｃ、２３４ｃとを有している。また、各脚支柱２３１の上端部も板状部材（図示省略）によって閉塞している。なお、以上のような脚支柱２３は天板１の奥行き寸法よりも十分に細いため、天板１の使用端１１ａ、１１ａを向く中間脚２３１全体における前端面となる各脚支柱２３１の前壁２３１ａの前端面２３１ａ1は、天板１の使用端１１ａ、１１ａよりも内側に配置されることになる。
【００２３】
このような中間脚２３に対して、前後一対のアーム２４、２４は、扁平な角パイプ状をなすものであり、反使用端部をそれぞれ対応する脚支柱２３１、２３１に載置した状態で、内部に挿入された扁平な角パイプ状の連結杆２４１によって相互に連結されている。また、この連結杆２４１は、各脚支柱２３１の対向壁２３２ｂの内面に溶接などにより取り付けられたＬ字形をなす合計４つの取付金具２３５を介してボルト２３５ａを利用して中間脚２３に固定されている。さらに、前後に対をなす天板要素１１、１１間の隙間１ｓから連結杆２４１及びアーム２４、２４の内部が見えるのを防止すべく、連結杆２４１には上方から蓋体２４２を取り付けている。この蓋体２４２は、連結杆２４１の奥行き方向中央部に載置される水平壁２４２ａと、この水平片２４２ａの前後両端部から起立してアーム２４、２４の内側端を閉止する起立片２４２ｂ、２４２ｂと、水平片２４２ａの左右両側端部から垂下してアーム２４、２４から表出する連結杆２４１の側面を隠す垂下片２４２ｃ、２４２ｃとからなるものであり、水平片２４２ａを連結杆２４１に対してボルト２４２ｄを利用して固定している。なお、連結杆２４１及び蓋体２４２の水平片２４２ａには、上下に貫通する貫通孔２４２ｓ（連結杆２４１の貫通孔については図示省略）を形成して、この貫通孔２４２ｓを通じて中間脚２３の開口部２３ｓと天板要素１１、１１間の隙間１ｓとを連通させている。
【００２４】
上述したように本実施形態における支持構造体２では、アーム２４と側フレーム２２とを各４本の第１横フレーム２５及び第２横フレーム２６によって連結しているが、第１横フレーム２５と第２横フレーム２６とは、各側端部においてアーム２４及び側フレーム２２に後述するようなボルト及びナットを斜め方向に用いた構造を利用して連結するようにしている。ここではこの連結構造を、図４、図６及び図７に示すように第１横フレーム２５とアーム２４との連結部位を例に挙げて説明する。まず、アーム２４には、その両側方へ突出する連結体２８、２８を取り付けており、これら連結体２８、２８を介してアーム２４に第１横フレーム２５、２５を取り付けるようにしている。具体的に各連結体２８は、例えばアルミダイキャスト等により一体成形してなる金属製のブロック状をなすものであり、両側面に亘って連通するボルト挿通孔２８ａ、２８ａを左右に対をなして形成している。そして、一方のボルト挿通孔２８ａの外側端部にはボルト頭部収容孔２８ｂを形成し、他方のボルト挿通孔２８ａの外側端部にはナット収容孔２８ｃを形成しており、アーム２４の長手方向同一箇所において当該アーム２４の左右に同一の連結体２８、２８を配置した状態で、一方の連結体２８におけるボルト頭部収容孔２８ｂ側からボルト挿通孔２８ａに挿入したボルト２８ｄの軸部を、アーム２４を横切って他方の連結体２８におけるボルト挿通孔２８ａに挿入し、そのボルト挿通孔２８ａに繋がるナット収容孔２８ｃに待機させたナット２８ｅに締着することで、アーム２４に一対の連結体２８、２８を固定するようにしている。なお、連結体２８のアーム２４に対する位置決めは、連結体２８の内側端面にアーム２４側へ突出させた突起部２８ｆとそれに対応してアーム２４に形成した突起部収容穴２４ａとの凹凸係合により行われる。また、この連結体２８の幅方向中央部には、第１横フレーム２５を固定するためのナット２８１ｂを備えたナット保持部材２８１を収容し得る縦孔２８ｇが形成してあり、この縦孔２８ｇにナット保持部材２８１を下方から挿入して保持するようにしている。ナット保持部材２８１は、斜め上外側を向けて傾斜した姿勢でナット２８１ｂを固定してなる例えば合成樹脂製の部材であり、上端部に形成した弾性変形可能な爪部２８１ａを前記縦孔２８ｇの段部２８ｇａに係り合わせることで連結体２８に取り付けるようにしている。さらに連結体２８には、前記ナット２８１ｂを斜め上外側へ表出させるための窓部２８ｈを形成している。
【００２５】
一方、各第１横フレーム２５の内側端部には、連結体２８に取り付けるための固定ピン２５１をＣリング２５２等の固定具を利用して奥行き方向に取り付けている。この固定ピン２５１には、連結体２８に装着したナット保持部材２８１のナット２８１ａのネジ孔と直線状に並ぶように斜めに開口するボルト挿通孔２５１ａが形成してあり、このボルト挿通孔２５１ａに斜め上方から挿入したボルト２５３の軸部を、窓部２８ｈを経て前記ナット２８１ａに締着するようにしている。なお、第１横フレーム２５内にボルト２５３を挿抜するために、第１横フレーム２５の上面における内側端部には、開口窓２５ａが形成してある。また、第１横フレーム２５の内側端部における下端部を斜めに切除しているため、上方から第１横フレーム２５を連結体２８の外側端部に被せるように取り付ける作業をスムーズに行うことができるようにしている。
【００２６】
すなわち、以上のように、連結体２８に固定したナット２８１ａとボルト２５３を斜めに締め込むことで各第１横フレーム２５をアーム２４に固定することによって、高い取付強度が得られるとともに、第１横フレーム２５の上下方向への位置ずれや撓みの解消を図っている。さらに、第１横フレーム２５の高さ寸法を比較的小さなものとしても十分な取付強度が得られるため、後述する配線ダクト３を設けるための十分なスペースを確保することができる。なお、上述の通りこのような連結構造は、アーム２４及び側フレーム２２と第１横フレーム２５及び第２横フレーム２６に共通するものであるため、支持構造体２全体の強度向上と、アーム２４、側フレーム２２、第１横フレーム２５、第２横フレーム２６の薄型化とが実現される。なお、側フレーム２２に対して連結体２８と、ボルト等を用いて適宜取り付けている。
【００２７】
配線ダクト３は、図１、図２、図３及び図４に示すように、天板１の奥行き方向中央部、すなわち前後に対をなす天板要素１１、１１の反使用端１１ｂ、１１ｂの下方に配置されるものであり、配線空間３ｓを有するダクト本体３１と、配線空間３ｓの天板要素１１の使用端１１ａ側を開閉する扉部３４とを備えている。特に本実施形態では奥行き方向に対をなす天板要素１１、１１ごとに１つずつ配線ダクト３を設けた構成としており、さらに天板１が奥行き方向両端部に使用端１１ａを有する構成であるため、ダクト本体３１を左右に対をなして設け、各ダクト本体３１に２つずつの扉部３４、３４を設けている。
【００２８】
具体的に説明すると、各ダクト本体３１はさらに、第１横フレーム２５、２５の下方で配線コードを受けるための配線トレー３２と、この配線トレー３２の左右両端部を支持し前後一対の第１横フレーム２５、２５間に支持される左右一対の支持体３３とから構成される。各配線トレー３２は、天板要素１１の幅寸法よりも短い底板部３２１と、この底板部３２１の前後両端部において起立する起立板部３２２、３２２とを有している。本実施形態においてこれら底板３２１及び起立板部３２２、３２２は、一枚の金属板を折り曲げ加工により形成したものである。一方、各支持体３３は、側面視エ字形をなし配線トレー３２の両側端部の外方に起立する本体板部３３１と、この本体板部３３１の上端部に連続して前後一対の第１横フレーム２５、２５の対向面に沿って延びる一対の取付板部３３２、３３２と、本体板部３３１の下端部に連続して配線トレー３２の底板部３２１を下方から受ける一対の支持板部３３３、３３３とから構成される。本実施形態において各支持体３３は、一枚の金属板を折り曲げ加工により形成している。そして、取付板部３３２、３３２を第１横フレーム２５、２５間に位置付けてそれらの対向面にネジを利用して固定する一方、配線トレー３２を支持板部３３３、３３３上に載置してネジを利用して固定している。そして、配線トレー３２の底板部３２１を、中間脚２３の開口部２３ｓの開口下縁２３ｓａと略同一高さ位置に設けるようにしている。このようにすることで、開口部２３ｓ、その両側方の配線空間３ｓ、３ｓ、配線案内路２３ｒ、２３ｒ、隙間１ｓは、全て連通することになり、これら各部に配線コードを自由に通すことができるようにしている。
【００２９】
扉部３４は、それぞれ一枚の金属板からなる扉部本体３４１と、扉部本体３４１をダクト本体３１に取り付けるための支持軸３４２とを備えている。まず扉部本体３４１は、例えば多数の孔を開けたパンチングメタル等からなるものであり、上端部３４１ａに支持軸３４２を取り付けている。各支持軸３４２の端部は、本体部３４１の側端部から突出させてある。さらに扉部本体３４１の外面側には把手部３４３を取り付けて、扉部３４の開閉操作を好適に行うことができるようにしている。本実施形態ではこの把手部３４３を、各扉部本体３４１の幅方向中央部における下半部分に取り付けている。このような扉部３４をダクト本体３１支持させるために、ダクト本体３１の各取付板部３２２には、軸受部材３４４を取り付けている。軸受部材３４４は、支持軸３４２を弾性変形により着脱可能に取り付けて回動可能に保持するための保持爪部３４４ａと、取付板部３２２に取り付けるための取付部３４４ｂを有しており、この取付部３４４ｂを各取付板部３３２に装着している。取付部３４４ｂを弾性変形により取付板部３２２に固定した状態で、保持爪部３４４ａに支持軸３４２を支持させることで、各扉部３４は上端部３４１ａにおいてダクト本体３１に対して回動可能に支持されることになり、扉部３４の下端部は何処にも支持されることのない開放端部３４１ｂとなる。したがって、図４に示すように各扉部３４は、把手部３４３を摘んで天板要素１１の使用端１１ａ側へ引き上げれば支持軸３４２を中心にして手前側へ回動して跳ね上がり、或いは逆に扉部本体３４１を配線空間３ｓ内へ押し込めば支持軸３４２を中心にして回動して傾斜するので、これらいずれかの操作によって、配線空間３ｓ内への配線コード（図示省略）の出し入れ又はメンテナンスを行うことができることになる。また、ダクト本体３１の奥行き方向中央部には、このテーブルＴの一方の使用端１１ａ側から他方の使用端１１ａ側への視線を遮るために、幕板３５を設けている。具体的には、幕板３５には上述した扉部３４と同一部材を用いている。すなわち幕板３５は、扉部本体３４１と同一構成の幕板本体３５１と、支持軸３４２と同一構成の支持軸３５２とから構成される。そして、一方、配線トレー３２の隆起部３２１ａの両側端部に下方から軸受部材３４４を取り付けて、この軸受部材３４４に支持軸３５２を保持させることによって、幕板３５をダクト本体３１に取り付けている。
【００３０】
以上のような構成からなる本実施形態に係るテーブルＴによれば、天板１の中央部を支持する中間脚２３に開口部２３ｓを設け、この中間脚２３の両側方に配置した一対の配線ダクト３、３の配線空間３ｓ、３ｓを前記開口部２３ｓを介して連通させるようにしているため、配線ダクト３、３間に配線コードを簡便に亘すことができるため、中間脚２３を迂回した配線作業を不要とすることができる。また、脚構造体２と天板１との間に狭いスペースを形成して、そのスペースに配線コードを通すという極めて不便な配線作業も解消することができる。特に、中間脚２３の開口部２３ｓの開口下縁２３ｓａを、配線ダクト３の底板部３２１と略等しい高さ位置に設定しているので、配線ダクト３、３間に亘る配線コードを略水平にまっすぐ配置することができるため、多数の配線コードをすっきりと配線ダクト３内に収納するとともに、配線作業をより簡易に行うことができる。
【００３１】
特に本実施形態では、天板１の奥行き方向に並べた一対の脚支柱２３１、２３１を離間させて配置して連結部材２３２によって連結することにより、脚支柱２３１、２３１の内側端と連結部材２３２の上端とで包囲される部位を開口部２３ｓとしていることから、斯かる開口部２３ｓを容易に形成することができる。また、連結部材２３２には、その対向壁２３２ｂ、２３２ｂ及び内壁２３２ｃとによって凹部２３ｒ、２３ｒを形成して、これら凹部２３ｒ、２３ｒを利用して配線を上下に案内する配線案内路２３ｓ、２３ｓを構成しており、これら配線案内路２３ｓ、２３ｓを開口部２３ｓに連通させているので、電源供給等のための配線作業を容易に行うことができ、さらにこの配線案内路２３ｓ、２３ｓにはカバー体２３３、２３３を取り付けるようにしているため、配線案内路２３ｓ、２３ｓ内部の配線コードを隠しておくことが可能である。
【００３２】
また、天板１の奥行き方向中央部に中間脚２３と配線ダクト３、３を配置しているため、天板１の使用端１１ａ側に着座する執務者に対して、中間脚２３や配線ダクト３、３が邪魔になることもなく、奥行き方向に並ぶ天板要素１１、１１の反使用端１１ｂ、１１ｂ同士の間に隙間１ｓを形成しているため、天板１上と配線空間３ｓ、３ｓ、開口部２３ｓとの間の配線コードの通過を容易に行うことができる。また、中間脚２３の奥行き寸法は天板１の奥行き寸法に対して十分に小さいので、中間脚２３の前端面２３１ａ1、２３１ａ1が天板１の使用端１１ａ、１１ａよりも内方に位置付けられることとなるため、この点でも、執務者の脚に対する障害物をなくすことができる。
【００３３】
なお、本発明は上述した実施形態に限られるものではない。例えば、複数の中間脚を設け、各中間脚又は何れかの中間脚に配線ダクト間を跨ぐ配線コードを通過させ得る開口部を設けるようにしてもよいし、配線ダクトを天板の奥行き方向に沿って配置する場合には、それら配線ダクトの間に開口部を有する中間脚を配置するようにすることもできる。また、天板要素同士の隙間にはカバーを取り付けて、配線作業を行う際にのみそのカバーを取り外すようにしてもよい。その他、各部の具体的構成についても上記実施形態に限られるものではなく、本発明の趣旨を逸脱しない範囲で種々変形が可能である。
【図面の簡単な説明】
【００３４】
【図１】本発明の一実施形態を示す正面図。
【図２】同底面図。
【図３】同実施形態の要部を拡大して示す斜視図。
【図４】図２におけるＩＶ−ＩＶ線断面図。
【図５】図４におけるＶａ−Ｖａ線、Ｖｂ−Ｖｂ線断面図。
【図６】同実施形態におけるアームと第１横フレームとの連結部位を示す斜視図。
【図７】同断面図。
【符号の説明】
【００３５】
Ｔ…天板付家具（テーブル）
１…天板
１ｓ…隙間
２…脚構造体
３…配線ダクト
３ｓ…配線空間
１１…天板要素
１１ａ…使用端
１１ｂ…反使用端
２１…端部脚
２３…中間脚
２３ｒ…配線案内路
２３ｓ…開口部
２３ｕ…凹部
２４…アーム
２５…横フレーム（第１横フレーム）
２６…横フレーム（第２横フレーム）
２７…側フレーム
２３１…脚支柱
２３２…連結部材
２３３…カバー体
【図１】
2005052395.tif 000003
【図２】
2005052395.tif 000004
【図３】
2005052395.tif 000005
【図４】
2005052395.tif 000006
【図５】
2005052395.tif 000007
【図６】
2005052395.tif 000008
【図７】
2005052395.tif 000009